(57)【要約】【課題】ＩＰ電話網内で実行されるＳＩＰサーバの輻輳規制による影響を受けることなく、ＩＰ電話加入者端末間の通話を可能にする、通信制御システム、通信制御方法および発信制御用ＳＩＰサーバを提供する。【解決手段】ＩＰ電話加入者端末および加入者サーバ（ＳＩＰサーバ）と接続される発信制御ＳＩＰサーバは、ＩＰ電話加入者端末を収容し通常時の呼接続制御を行う加入者サーバが輻輳制御された場合に、加入者サーバが備える加入者情報に基づき、複数の所定のＩＰ電話加入者端末へ接続要求信号を送信し、所定のＩＰ電話加入者端末間の通話を可能とする。【選択図】図２
2013135245.tif 000002
【特許請求の範囲】
【請求項１】
ＩＰ電話加入者端末を収容し、通常時の呼接続制御を行うＳＩＰサーバと、前記ＩＰ電話加入者端末および前記ＳＩＰサーバと接続され、前記ＩＰ電話加入者端末に対し発信制御を行う発信制御ＳＩＰサーバとを備える通信制御システムであって、
前記発信制御ＳＩＰサーバは、
前記ＳＩＰサーバが輻輳制御された場合に、前記ＳＩＰサーバが備える加入者情報に基づき、複数の所定の前記ＩＰ電話加入者端末それぞれに接続要求信号を送信し、前記所定のＩＰ電話加入者端末間の通話を可能とすること
を特徴とする通信制御システム。
【請求項２】
前記通信制御システムは、前記複数の所定のＩＰ電話加入者端末のＩＰ電話番号を登録する登録サーバをさらに備え、
前記登録サーバは、外部装置から複数の前記ＩＰ電話番号を受け付け、自身の記憶部に記憶しておき、
前記発信制御ＳＩＰサーバは、前記ＳＩＰサーバが輻輳制御された場合に、前記登録サーバに取得要求を送信することにより、前記複数のＩＰ電話番号を取得し、前記取得した複数のＩＰ電話番号に対応する前記加入者情報を用いて、前記複数のＩＰ電話番号を有する前記ＩＰ電話加入者端末それぞれに接続要求信号を送信すること
を特徴とする請求項１に記載の通信制御システム。
【請求項３】
前記登録サーバは、前記ＳＩＰサーバが輻輳制御された場合に、前記受け付けた複数のＩＰ電話番号を有する前記ＩＰ電話端末に対し、前記接続要求信号の送信を要求する発信要求を受信し、前記受け付けた複数のＩＰ電話番号に対応付けて前記記憶部に記憶し、
前記発信制御ＳＩＰサーバは、前記登録サーバに取得要求を送信したときに、前記複数のＩＰ電話番号のうち、前記発信要求を受信した前記複数のＩＰ電話番号を、前記登録サーバから取得すること
を特徴とする請求項２に記載の通信制御システム。
【請求項４】
前記通信制御システムは、前記ＳＩＰサーバから加入者情報を収集する加入者ＤＢ（DataBase）サーバをさらに備え、
前記加入者ＤＢサーバは、前記通常時に、前記ＳＩＰサーバから前記加入者情報を取得し、自身の記憶部内の加入者情報ＤＢに記憶しておき、
前記発信制御ＳＩＰサーバは、前記複数のＩＰ電話番号を取得した場合に、当該複数のＩＰ電話番号についての前記加入者情報の取得要求を前記加入者ＤＢサーバに送信し、
前記加入者ＤＢサーバは、前記複数のＩＰ電話番号それぞれに対応する加入者情報を、前記加入者情報ＤＢを検索して抽出し、前記発信制御ＳＩＰサーバに送信し、
前記発信制御ＳＩＰサーバは、受信した前記加入者情報を用いて、前記複数のＩＰ電話番号を有する前記ＩＰ電話加入者端末それぞれに前記接続要求信号を送信すること
を特徴とする請求項２または請求項３に記載の通信制御システム。
【請求項５】
ＩＰ電話加入者端末を収容し、通常時の呼接続制御を行うＳＩＰサーバと、前記ＩＰ電話加入者端末および前記ＳＩＰサーバと接続され、前記ＩＰ電話加入者端末に対し発信制御を行う発信制御ＳＩＰサーバとを備える通信制御システムの通信制御方法であって、
前記発信制御ＳＩＰサーバは、
前記ＳＩＰサーバが輻輳制御された場合に、前記ＳＩＰサーバが備える加入者情報に基づき、複数の所定の前記ＩＰ電話加入者端末それぞれに接続要求信号を送信し、前記所定のＩＰ電話加入者端末間の通話を可能とすること
を特徴とする通信制御方法。
【請求項６】
ＩＰ電話加入者端末を収容し、通常時の呼接続制御を行うＳＩＰサーバと、前記ＩＰ電話加入者端末および前記ＳＩＰサーバと接続され、前記ＩＰ電話加入者端末に対し発信制御を行う発信制御ＳＩＰサーバとを備える通信制御システムの前記発信制御ＳＩＰサーバであって、
前記ＳＩＰサーバが輻輳制御された場合に、前記ＳＩＰサーバが備える加入者情報に基づき、複数の所定の前記ＩＰ電話加入者端末それぞれに接続要求信号を送信し、前記所定のＩＰ電話加入者端末間の通話を可能とすること
を特徴とする発信制御ＳＩＰサーバ。
【発明の詳細な説明】
【技術分野】
【０００１】
本発明は、ＩＰ（Internet Protocol）電話網における、通信制御システム、通信制御方法、および発信制御ＳＩＰ（Session Initiation Protocol）サーバに関する。
【背景技術】
【０００２】
図９に示す従来のＩＰ電話網１における通信制御システムでは、各加入者サーバ（ＳＩＰサーバ）２が、宅内装置（ＨＧＷ：Home Gateway）４を介してＩＰ電話加入者端末５を収容する。そして、加入者サーバ２は、自身が収容するＩＰ電話加入者端末５の電話番号と、ＩＰアドレスとを記憶する。加入者サーバ２（ここでは、「加入者サーバ２Ａ」とする。）は、自身が収容するＩＰ電話加入者端末５（５Ａ）を発信元とする発呼信号を、宅内装置４を介して受信すると、中継サーバ（ＳＩＰサーバ）３を経由し、着信側のＩＰ電話加入者端末５（５Ｂ）を収容する加入者サーバ２（ここでは、「加入者サーバ２Ｂ」とする。）に、その発呼信号を送信することで、発信元のＩＰ電話加入者端末５（５Ａ）と着信側のＩＰ電話加入者端末５（５Ｂ）との通話を実現する。
【０００３】
この従来のＩＰ電話網１において、地震等の大規模災害が発生した場合、ＩＰ電話網１内の複数のＳＩＰサーバ（加入者サーバ２や中継サーバ３等）は、複数のＩＰ電話加入者端末５からの接続要求が集中することによる自己のシステムダウンを回避するため、輻輳規制を実行する（特許文献１参照）。
【先行技術文献】
【特許文献】
【０００４】
【特許文献１】特開２００５−１６７７６９号公報
【発明の概要】
【発明が解決しようとする課題】
【０００５】
しかしながら、大規模災害発生時等において、ＩＰ電話網１を構成するＳＩＰサーバ等で輻輳規制が実行されると（図９参照）、ＩＰ電話加入者端末５からの発信が拒否される可能性が高く、また、発信を繰り返し行っても接続できない状況となる。
【０００６】
このような背景を鑑みて本発明がなされたのであり、本発明は、災害発生時等において、ＩＰ電話網１内で実行されるＳＩＰサーバの輻輳規制による影響を受けることなく、ＩＰ電話加入者端末間の通話を可能にする、通信制御システム、通信制御方法および発信制御ＳＩＰサーバを提供することを課題とする。
【課題を解決するための手段】
【０００７】
前記した課題を解決するため、請求項１に記載の発明は、ＩＰ電話加入者端末を収容し、通常時の呼接続制御を行うＳＩＰサーバと、前記ＩＰ電話加入者端末および前記ＳＩＰサーバと接続され、前記ＩＰ電話加入者端末に対し発信制御を行う発信制御ＳＩＰサーバとを備える通信制御システムであって、前記発信制御ＳＩＰサーバが、前記ＳＩＰサーバが輻輳制御された場合に、前記ＳＩＰサーバが備える加入者情報に基づき、複数の所定の前記ＩＰ電話加入者端末それぞれに接続要求信号を送信し、前記所定のＩＰ電話加入者端末間の通話を可能とすることを特徴とする通信制御システムとした。
【０００８】
また、請求項５に記載の発明は、ＩＰ電話加入者端末を収容し、通常時の呼接続制御を行うＳＩＰサーバと、前記ＩＰ電話加入者端末および前記ＳＩＰサーバと接続され、前記ＩＰ電話加入者端末に対し発信制御を行う発信制御ＳＩＰサーバとを備える通信制御システムの通信制御方法であって、前記発信制御ＳＩＰサーバが、前記ＳＩＰサーバが輻輳制御された場合に、前記ＳＩＰサーバが備える加入者情報に基づき、複数の所定の前記ＩＰ電話加入者端末それぞれに接続要求信号を送信し、前記所定のＩＰ電話加入者端末間の通話を可能とすることを特徴とする通信制御方法とした。
【０００９】
また、請求項６に記載の発明は、ＩＰ電話加入者端末を収容し、通常時の呼接続制御を行うＳＩＰサーバと、前記ＩＰ電話加入者端末および前記ＳＩＰサーバと接続され、前記ＩＰ電話加入者端末に対し発信制御を行う発信制御ＳＩＰサーバとを備える通信制御システムの前記発信制御ＳＩＰサーバであって、前記ＳＩＰサーバが輻輳制御された場合に、前記ＳＩＰサーバが備える加入者情報に基づき、複数の所定の前記ＩＰ電話加入者端末それぞれに接続要求信号を送信し、前記所定のＩＰ電話加入者端末間の通話を可能とすることを特徴とする発信制御ＳＩＰサーバとした。
【００１０】
このようにすることで、災害発生時等において、ＩＰ電話網内で実行されるＳＩＰサーバの輻輳規制による影響を受けることなく、発信制御ＳＩＰサーバが、複数の所定のＩＰ電話加入者端末それぞれに接続要求信号を送信し、ＩＰ電話加入者端末間の通話を可能にする。このとき、発信制御ＳＩＰサーバは、ＩＰ電話加入者端末に対して、能動的に接続処理を行うため、発信制御ＳＩＰサーバ自身の処理能力に合わせた接続処理が可能になる。
【００１１】
請求項２に記載の発明は、前記通信制御システムが、前記複数の所定のＩＰ電話加入者端末のＩＰ電話番号を登録する登録サーバをさらに備え、前記登録サーバが、外部装置から複数の前記ＩＰ電話番号を受け付け、自身の記憶部に記憶しておき、前記発信制御ＳＩＰサーバが、前記ＳＩＰサーバが輻輳制御された場合に、前記登録サーバに取得要求を送信することにより、前記複数のＩＰ電話番号を取得し、前記取得した複数のＩＰ電話番号に対応する前記加入者情報を用いて、前記複数のＩＰ電話番号を有する前記ＩＰ電話加入者端末それぞれに接続要求信号を送信することを特徴とする請求項１に記載の通信制御システムとした。
【００１２】
このようにすることで、ＩＰ電話の加入者は、自身のＩＰ電話加入者端末のＩＰ電話番号と、災害発生時等に確実に連絡を取りたい他の加入者のＩＰ電話番号とを、複数の所定のＩＰ電話加入者端末のＩＰ電話番号として、登録サーバに登録することができる。よって、発信制御ＳＩＰサーバは、ＳＩＰサーバが輻輳制御された場合に、登録サーバに登録された複数のＩＰ電話番号を有するＩＰ電話加入者端末に対して、接続要求信号を送信し、加入者により登録されたＩＰ電話番号を有するＩＰ電話加入者端末間の通話を可能とすることができる。
【００１３】
請求項３に記載の発明は、前記登録サーバが、前記ＳＩＰサーバが輻輳制御された場合に、前記受け付けた複数のＩＰ電話番号を有する前記ＩＰ電話端末に対し、前記接続要求信号の送信を要求する発信要求を受信し、前記受け付けた複数のＩＰ電話番号に対応付けて前記記憶部に記憶し、前記発信制御ＳＩＰサーバが、前記登録サーバに取得要求を送信したときに、前記複数のＩＰ電話番号のうち、前記発信要求を受信した前記複数のＩＰ電話番号を、前記登録サーバから取得することを特徴とする請求項２に記載の通信制御システムとした。
【００１４】
このようにすることで、登録サーバに登録された複数のＩＰ電話番号のうち、ＳＩＰサーバが輻輳制御された場合に、加入者が、複数のＩＰ電話番号を有するＩＰ電話加入者端末間の通話の要求を受信した複数のＩＰ電話番号について、発信制御ＳＩＰサーバがＩＰ電話加入者端末間の通話を可能とすることができる。
【００１５】
請求項４に記載の発明は、前記通信制御システムが、前記ＳＩＰサーバから加入者情報を収集する加入者ＤＢ（DataBase）サーバをさらに備え、前記加入者ＤＢサーバが、前記通常時に、前記ＳＩＰサーバから前記加入者情報を取得し、自身の記憶部内の加入者情報ＤＢに記憶しておき、前記発信制御ＳＩＰサーバが、前記複数のＩＰ電話番号を取得した場合に、当該複数のＩＰ電話番号についての前記加入者情報の取得要求を前記加入者ＤＢサーバに送信し、前記加入者ＤＢサーバが、前記複数のＩＰ電話番号それぞれに対応する加入者情報を、前記加入者情報ＤＢを検索して抽出し、前記発信制御ＳＩＰサーバに送信し、前記発信制御ＳＩＰサーバが、受信した前記加入者情報を用いて、前記複数のＩＰ電話番号を有する前記ＩＰ電話加入者端末それぞれに前記接続要求信号を送信することを特徴とする請求項２または請求項３に記載の通信制御システムとした。
【００１６】
このように、通常時に、ＳＩＰサーバから加入者情報を加入者ＤＢサーバが収集しておくことで、ＳＩＰサーバが輻輳制御された場合に、発信制御ＳＩＰサーバは、ＳＩＰサーバからではなく、加入者ＤＢサーバから加入者情報を取得することができる。
【発明の効果】
【００１７】
本発明によれば、災害発生時等において、ＩＰ電話網内で実行されるＳＩＰサーバの輻輳規制による影響を受けることなく、ＩＰ電話加入者端末間の通話を可能にする、通信制御システム、通信制御方法および発信制御ＳＩＰサーバを提供することができる。
【図面の簡単な説明】
【００１８】
【図１】本実施形態に係る通信制御システムの全体構成と、災害発生前の通常時における処理の概要を説明するための図である。
【図２】本実施形態に係る通信制御システムの全体構成と、災害発生時の処理の概要を説明するための図である。
【図３】本実施形態に係る加入者サーバの構成例を示す機能ブロック図である。
【図４】本実施形態に係る加入者ＤＢ（DataBase）サーバの構成例を示す機能ブロック図である。
【図５】本実施形態に係る登録サーバの構成例を示す機能ブロック図である。
【図６】本実施形態に係る発信登録情報のデータ構成を説明するための図である。
【図７】本実施形態に係る発信制御ＳＩＰサーバの構成例を示す機能ブロック図である。
【図８】本実施形態に係る通信制御方法の処理の流れを示すシーケンス図である。
【図９】従来の通信制御システムにおける災害発生時の輻輳規制を説明するための図である。
【発明を実施するための形態】
【００１９】
次に、本発明を実施するための形態（以下、「本実施形態」という。）における通信制御システム等について説明する。
【００２０】
≪概要≫
まず、本実施形態に係る通信制御システム１００の概要について説明する。
図１および図２は、本実施形態に係る通信制御システム１００の全体構成と、処理の概要を説明するための図である。図１は、通信制御システム１００の全体構成と、大規模災害等が発生する前の通常時において、通信制御システム１００において行う処理を示す。また、図２は、大規模災害等が発生した後（災害発生時）における、通信制御システム１００の全体構成と、処理の概要を示す。
【００２１】
＜システム構成＞
本実施形態に係る通信制御システム１００は、図９に示した従来のＩＰ電話網１による通信制御システムと同様の構成として、図１に示すように、宅内装置（ＨＧＷ）４（４Ａ，４Ｂ）を介して、自身が収容するＩＰ電話加入者端末５（５Ａ，５Ｂ）に接続される複数の加入者サーバ（ＳＩＰサーバ）２０（２０Ａ，２０Ｂ）と、中継サーバ（ＳＩＰサーバ）３とを含む。さらに、本通信制御システム１００は、各加入者サーバ２０（２０Ａ，２０Ｂ）から、各加入者サーバ２０（２０Ａ，２０Ｂ）それぞれが記憶する加入者情報（例えば、ＩＰ電話番号、ＩＰアドレス等）を収集する加入者ＤＢ（Database）サーバ３０と、インターネット端末（外部装置）６０にインターネット７０を介して接続され、大規模災害発生時に備え、ＩＰ電話の加入者が連絡を取りたい他の加入者のＩＰ電話番号を登録しておく登録サーバ４０と、音声ガイダンスをＩＰ電話加入者端末５に送信するメディアサーバ（ＭＳ）５０と、発信制御ＳＩＰサーバ１０と含んで構成される。この発信制御ＳＩＰサーバ１０は、登録サーバ４０に連絡先となる他の加入者のＩＰ電話番号を登録した加入者（以下、「登録者」という場合がある。）のＩＰ電話加入者端末５のＩＰ電話番号と、その連絡先となる他の加入者のＩＰ電話加入者端末５のＩＰ電話番号とを用いて、発信制御ＳＩＰサーバ１０側から、両方のＩＰ電話加入者端末５に対して発呼（接続要求信号を送信）することにより、呼接続を行う装置である（詳細は後記）。
なお、加入者サーバ２０およびＩＰ電話加入者端末５は、図１および図２に示したような２つに限定されることはなく、複数設定されていればよい。
【００２２】
＜処理概要＞
次に、図１を参照して、大規模災害等が発生する前の通常時において、通信制御システム１００が行う処理の概要について説明する。
まず、ＩＰ電話加入者端末５は、回線設定時の処理として、宅内装置４を介して接続される加入者サーバ２０に、自身の加入者情報（ＩＰ電話番号およびＩＰアドレス等）を含むＲｅｇｉｓｔｅｒ信号を送信する（ステップＳ１）。
各加入者サーバ２０は、受信したＲｅｇｉｓｔｅｒ信号から、そのＩＰ電話加入者端末５の電話番号（ＩＰ電話番号）とＩＰアドレスとを抽出し、加入者情報として自身の記憶部に記憶すると共に、その加入者情報を加入者ＤＢサーバ３０に送信する（ステップＳ２）。各加入者サーバ２０から加入者情報を受信した加入者ＤＢサーバ３０は、受信した加入者情報を記憶部に記憶しておく。
【００２３】
次に、ＩＰ電話の加入者（ここでは、例えば、ＩＰ電話加入者端末５Ａの加入者を、加入者「Ａ」とする。）により操作されるインターネット端末６０が、インターネット７０経由で、その登録者（加入者「Ａ」）のＩＰ電話番号（以下、「登録者ＩＰ電話番号」とよぶ。）と、その登録者（加入者「Ａ」）が大規模災害発生時に連絡を取りたい他の加入者（ここでは、加入者「Ｂ」とする。）のＩＰ電話番号（以下、「接続先ＩＰ電話番号」とよぶ。）とを、登録サーバ４０に登録する（ステップＳ３）。
【００２４】
続いて、図２を参照して、大規模災害等が発生した後（災害発生時）における、通信制御システム１００処理概要を説明する。
大規模災害等が発生すると、ＩＰ電話網１内の加入者サーバ２０や中継サーバ３等は、システムダウンを回避するため、輻輳規制が実行される。
【００２５】
まず、ＩＰ電話の加入者（例えば、加入者「Ａ」）の操作によりインターネット端末６０は、図１のステップＳ３において登録サーバ４０に登録した登録情報（「登録者ＩＰ電話番号」および「接続先ＩＰ電話番号」の組）の発信受付状態を“ＯＮ”にする（ステップＳ１１）。この発信受付状態を“ＯＮ”にすることは、登録者（加入者「Ａ」）が、通信制御システム１００に対し、事前に登録した連絡先となる他の加入者（加入者「Ｂ」）との通話を要求することを意味する。
【００２６】
次に、発信制御ＳＩＰサーバ１０は、登録サーバ４０に登録された登録情報のうち、発信受付状態が“ＯＮ”となった登録情報の登録者ＩＰ電話番号および接続先ＩＰ電話番号を、登録サーバ４０から取得する（ステップＳ１２）。
【００２７】
続いて、発信制御ＳＩＰサーバ１０は、取得した登録者ＩＰ電話番号と接続先ＩＰ電話番号とを用いて、加入者ＤＢサーバ３０からそれぞれのＩＰ電話番号に対応する加入者情報（ＩＰアドレス等）を取得する（ステップＳ１３）。ここでは、登録者ＩＰ電話番号（加入者「Ａ」）に対応する加入者情報として、ＩＰ電話加入者端末「Ａ」のＩＰアドレスを加入者ＤＢサーバ３０から取得し、接続先ＩＰ電話番号（加入者「Ｂ」）に対応する加入者情報として、ＩＰ電話加入者端末「Ｂ」のＩＰアドレスを加入者ＤＢサーバ３０から取得する。
【００２８】
次に、発信制御ＳＩＰサーバ１０は、登録者ＩＰ電話番号に対応するＩＰアドレスを用いて、登録者のＩＰ電話加入者端末５（ここでは、「ＩＰ電話加入者端末５Ａ」）に発呼（接続要求信号を送信）する（ステップＳ１４）。そして、ＩＰ電話加入者端末５（５Ａ）が応答すると、メディアサーバ５０が、連絡先として登録したＩＰ電話加入者端末５（ここでは、「ＩＰ電話加入者端末５Ｂ」）を呼出中である旨のガイダンスを流す（ステップＳ１５）。
【００２９】
続いて、発信制御ＳＩＰサーバ１０は、接続先ＩＰ電話番号に対応するＩＰアドレスを用いて、連絡先となる他の加入者のＩＰ電話加入者端末５（ここでは、「ＩＰ電話加入者端末５Ｂ」）に発呼（接続要求信号を送信）する（ステップＳ１６）。そして、連絡先となるＩＰ電話加入者端末５（５Ｂ）が応答すると、ＩＰ電話加入者端末５ＡとＩＰ電話加入者端末５Ｂとの通話が可能となる（ステップＳ１７）。
【００３０】
このように、ＩＰ電話の加入者が、インターネット７０経由で、登録者ＩＰ電話番号と、接続先ＩＰ電話番号とを登録することによって、ＩＰ電話網１側の発信制御ＳＩＰサーバ１０から、登録者と連絡先の両方のＩＰ電話加入者端末５の呼び出しを行い、通信回線を接続することができる。本発明によれば、発信制御ＳＩＰサーバ１０からＩＰ電話加入者端末５に対して、能動的に接続処理を行うため、発信制御ＳＩＰサーバ１０自身の処理能力に合わせた接続処理が可能になると共に、加入者サーバ２０や中継サーバ３等での輻輳規制の影響を受けることなく、ＩＰ電話加入者端末５間の通話が可能となる。
【００３１】
≪各装置の構成≫
次に、本実施形態に係る通信制御システム１００を構成する各装置の具体的な構成について説明する。
【００３２】
＜加入者サーバ＞
図３は、本実施形態に係る加入者サーバ２０の構成例を示す機能ブロック図である。
図１および図２に示すように、加入者サーバ２０は、宅内装置（ＨＧＷ）４を介して、ＩＰ電話加入者端末５と接続され、ＩＰ電話加入者端末５からの呼接続要求を受け付けて、他のＩＰ電話加入者端末５に接続する呼制御を行うＳＩＰサーバである。また、この加入者サーバ２０は、通常時の呼接続処理において情報の送受信を行うための中継サーバ３、および、災害発生時における輻輳制御に対応するために設けられた加入者ＤＢサーバ３０に接続されている。なお、加入者サーバ２０は、災害発生時においては、通信制御システム１００の管理者等により輻輳規制され、情報の送受信が制限される。
この加入者サーバ２０は、制御部２１と、入出力部２２と、記憶部２３とを備える。
【００３３】
制御部２１は、呼接続処理や、加入者情報２００の送信等の処理の全般を司り、加入者情報登録部２１１と、加入者情報送信部２１２と、呼接続処理部２１３とを含んで構成される。
【００３４】
加入者情報登録部２１１は、各ＩＰ電話加入者端末５から、回線設定時にＲｅｇｉｓｔｅｒ信号を受信し、その受信したＲｅｇｉｓｔｅｒ信号から加入者情報２００（ＩＰ電話番号およびＩＰアドレス）を抽出し、記憶部２３に記憶する。
【００３５】
加入者情報送信部２１２は、加入者情報登録部２１１が記憶部２３に記憶した加入者情報２００を、加入者ＤＢサーバ３０に送信する（図１のステップＳ２）。この加入者情報送信部２１２による加入者情報２００の送信は、１つのＩＰ電話加入者端末５から、Ｒｅｇｉｓｔｅｒ信号を受信する毎に行ってもよいし、所定の時間毎に、記憶部２３に記憶した加入者情報２００をまとめて加入者ＤＢサーバ３０に送信するようにしてもよい。
なお、本実施形態に係る加入者サーバ２０は、図９に示した従来技術における加入者サーバ２と比べ、この加入者情報送信部２１２を備える点が特徴となる。
【００３６】
呼接続処理部２１３は、ＩＰ電話加入者端末５から呼接続信号を受信すると、中継サーバ３を介して、他の加入者サーバ２０との間で、呼接続のための制御を行う。
【００３７】
入出力部２２は、他の装置との間で情報の送受信を行うための通信インタフェースと、キーボード等の入力装置や、モニタ等の出力装置との間で情報の送受信を行うための入出力インタフェースとから構成される。
【００３８】
記憶部２３は、ＲＡＭ（Random Access Memory）や、ＨＤＤ（Hard Dick Drive）、フラッシュメモリ等の記憶媒体から構成される。そして、この記憶部２３には、加入者サーバ２０が収容する各ＩＰ電話加入者端末５のＩＰ電話番号やＩＰアドレス等の加入者情報２００が記憶される。
【００３９】
なお、この加入者サーバ２０をプログラム実行処理により実現する場合、記憶部２３には、加入者サーバ２０の制御部２１の機能を実現するためのプログラムが格納される。そして、制御部２１は、記憶部２３に記憶されたプログラムを、不図示のＣＰＵ（Central Processing Unit）が、ＲＡＭ等に展開し実行することで実現される。
【００４０】
＜加入者ＤＢサーバ＞
図４は、本実施形態に係る加入者ＤＢ（DataBase）サーバ３０の構成例を示す機能ブロック図である。
図１および図２に示すように、加入者ＤＢサーバ３０は、各加入者サーバ２０（２０Ａ，２０Ｂ）および発信制御ＳＩＰサーバ１０に接続され、各加入者サーバ２０から収集した加入者情報２００を記憶し、発信制御ＳＩＰサーバ１０からの要求に応じて、加入者情報２００を発信制御ＳＩＰサーバ１０に送信する。
この加入者ＤＢサーバ３０は、制御部３１と、入出力部３２と、記憶部３３とを備える。
【００４１】
制御部３１は、加入者情報２００の収集や送信の処理の全般を司り、加入者情報収集部３１１と、加入者情報通知部３１２とを含んで構成される。
【００４２】
加入者情報収集部３１１は、各加入者サーバ２０から加入者情報２００を受信し、記憶部３３内の加入者情報ＤＢ３００に記憶する。
【００４３】
加入者情報通知部３１２は、発信制御ＳＩＰサーバ１０から加入者情報２００の取得要求を受信すると、その加入者情報２００の取得要求に付された、登録者ＩＰ電話番号、接続先ＩＰ電話番号それぞれをキーとして、加入者情報ＤＢ３００を検索し、該当する加入者情報（ＩＰアドレス等）２００を抽出して、発信制御ＳＩＰサーバ１０に送信する（図２のステップＳ１３）。
【００４４】
入出力部３２は、他の装置との間で情報の送受信を行うための通信インタフェースと、キーボード等の入力装置や、モニタ等の出力装置との間で情報の送受信を行うための入出力インタフェースとから構成される。
【００４５】
記憶部３３は、ＲＡＭや、ＨＤＤ、フラッシュメモリ等の記憶媒体から構成される。そして、この記憶部３３には、各加入者サーバ２０から取得した、各ＩＰ電話加入者端末５の加入者情報２００が、加入者情報ＤＢ３００に記憶される。
【００４６】
なお、この加入者ＤＢサーバ３０をプログラム実行処理により実現する場合、記憶部３３には、加入者ＤＢサーバ３０の制御部３１の機能を実現するためのプログラムが格納される。そして、制御部３１は、記憶部３３に記憶されたプログラムを、不図示のＣＰＵが、ＲＡＭ等に展開し実行することで実現される。
【００４７】
＜登録サーバ＞
図５は、本実施形態に係る登録サーバ４０の構成例を示す機能ブロック図である。
図１および図２に示すように、登録サーバ４０は、発信制御ＳＩＰサーバ１０およびインターネット７０を介してインターネット端末６０と接続され、登録者のＩＰ電話番号（登録者ＩＰ電話番号）と、その登録者が災害発生時に連絡を取りたい他の加入者のＩＰ電話番号（接続先ＩＰ電話番号）とが登録される。また、登録サーバ４０は、災害発生時に、インターネット端末６０により、発信要求（具体的には、後記する発信受付状態“ＯＮ”）を受け付ける。なお、インターネット端末（外部装置）６０は、インターネット７０を介して情報の送受信をできる通信端末であればよく、例えば、ＰＣ（Personal Computer）、多機能携帯電話等である。
この登録サーバ４０は、制御部４１と、入出力部４２と、記憶部４３とを備える。
【００４８】
制御部４１は、登録者ＩＰ電話番号と接続先ＩＰ電話番号の登録全般の処理を司り、番号登録部４１１と、発信受付部４１２と、登録情報通知部４１３とを含んで構成される。
【００４９】
番号登録部４１１は、大規模災害等の発生前の通常時に、インターネット端末６０から、登録者ＩＰ電話番号と接続先ＩＰ電話番号とを受信し、記憶部４３内の発信登録情報４００に記憶する（図１のステップＳ３）。
【００５０】
図６は、本実施形態に係る発信登録情報４００のデータ構成を説明するための図である。
図６に示すように、発信登録情報４００には、登録者のＩＰ電話加入者端末５のＩＰ電話番号である登録者ＩＰ電話番号４０１と、その登録者が災害発生時において、連絡を取りたい接続先のＩＰ電話加入者端末５のＩＰ電話番号である接続先ＩＰ電話番号４０２と、発信受付状態４０３とが記憶される。なお、この発信受付状態４０３については、後記の処理において具体的に説明するが、番号登録部４１１により、登録者ＩＰ電話番号４０１とそれに対応する接続先ＩＰ電話番号とが登録された時点においては、発信受付状態４０３は、情報の未入力を示す「―」がデフォルトとして設定される。
【００５１】
図５に戻り、発信受付部４１２は、大規模災害等の発生後（災害発生時）に、インターネット端末６０から、発信要求を受け付け、発信登録情報４００（図６）の発信受付状態４０３を“ＯＮ”に設定する（図２のステップＳ１１）。
この発信受付状態４０３が“ＯＮ”に設定されていることは、登録者（加入者「Ａ」）が、通信制御システム１００に対し、事前に登録した連絡先となる他の加入者（加入者「Ｂ」）との通話を要求していることを示す。
【００５２】
登録情報通知部４１３は、発信制御ＳＩＰサーバ１０から、登録情報（「登録者ＩＰ電話番号」および「接続先ＩＰ電話番号」の組）の取得要求を受信すると、発信登録情報４００（図６）を参照し、発信受付状態４０３が“ＯＮ”に設定されている、登録者ＩＰ電話番号４０１と接続先ＩＰ電話番号４０２の組を、発信制御ＳＩＰサーバ１０に通知する（図２のステップＳ１２）。
【００５３】
入出力部４２は、他の装置との間で情報の送受信を行うための通信インタフェースと、キーボード等の入力装置や、モニタ等の出力装置との間で情報の送受信を行うための入出力インタフェースとから構成される。
【００５４】
記憶部４３は、ＲＡＭや、ＨＤＤ、フラッシュメモリ等の記憶媒体から構成される。この記憶部３３には、前記した発信登録情報４００（図６）が記憶される。
【００５５】
なお、この登録サーバ４０をプログラム実行処理により実現する場合、記憶部４３には、登録サーバ４０の制御部４１の機能を実現するためのプログラムが格納される。そして、制御部４１は、記憶部４３に記憶されたプログラムを、不図示のＣＰＵが、ＲＡＭ等に展開し実行することで実現される。
【００５６】
＜発信制御ＳＩＰサーバ＞
図７は、本実施形態に係る発信制御ＳＩＰサーバ１０の構成例を示す機能ブロック図である。
図１および図２に示すように、発信制御ＳＩＰサーバ１０は、加入者ＤＢサーバ３０、登録サーバ４０、メディアサーバ５０、および宅内装置（ＨＧＷ）４を介して各ＩＰ電話加入者端末５と接続される。発信制御ＳＩＰサーバ１０は、登録サーバ４０から取得した登録者ＩＰ電話番号および接続先ＩＰ電話番号に基づき、加入者ＤＢサーバ３０から加入者情報（ＩＰアドレス等）を取得する。そして、発信制御ＳＩＰサーバ１０が、登録者ＩＰ電話番号のＩＰ電話加入者端末５および接続先ＩＰ電話番号のＩＰ電話加入者端末５に対して接続要求信号を送信することにより、両方のＩＰ電話加入者端末５間の通話を確立する。
この発信制御ＳＩＰサーバ１０は、制御部１１と、入出力部１２と、記憶部１３とを備える。
【００５７】
制御部１１は、災害発生時における、ＩＰ電話加入者端末５への接続要求信号の送信や、呼制御処理の全般を司り、登録情報取得部１１１と、加入者情報取得部１１２と、発信制御部１１３とを含んで構成される。
【００５８】
登録情報取得部１１１は、登録サーバ４０に対し、登録情報（「登録者ＩＰ電話番号」および「接続先ＩＰ電話番号」の組）の取得要求を送信する。そして、登録情報取得部１１１は、登録サーバ４０から、登録者が発信受付状態４０３を「ＯＮ」に設定した、登録者ＩＰ電話番号および接続先ＩＰ電話番号の組の情報を取得する（図２のステップＳ１２）。
なお、この登録情報取得部１１１による登録情報の取得要求の送信は、所定の間隔毎に行われる。
【００５９】
加入者情報取得部１１２は、登録情報取得部１１１が取得した登録者ＩＰ電話番号および接続先ＩＰ電話番号に対応する加入者情報２００の取得要求を加入者ＤＢサーバ３０に送信する。そして、加入者情報取得部１１２は、加入者ＤＢサーバ３０から、送信した登録者ＩＰ電話番号、接続先ＩＰ電話番号それぞれ対応する加入者情報（ＩＰアドレス等）２００を取得する（図２のステップＳ１３）。
【００６０】
発信制御部１１３は、加入者情報取得部１１２が取得した加入者情報（ＩＰアドレス等）２００に基づき、登録者ＩＰ電話番号のＩＰ電話加入者端末５に接続要求信号（ＩＮＶＩＴＥ）を送信し、登録者ＩＰ電話番号のＩＰ電話加入者端末５と接続する（図２のステップＳ１４）。そして、発信制御部１１３は、次に、接続先ＩＰ電話番号のＩＰ電話加入者端末５に接続要求信号（ＩＮＶＩＴＥ）を送信し、接続先ＩＰ電話番号のＩＰ電話加入者端末５と接続することにより（図２のステップＳ１６）、両方のＩＰ電話加入者端末５間の通話を可能とする（図２のステップＳ１７）。
【００６１】
入出力部１２は、他の装置との間で情報の送受信を行うための通信インタフェースと、キーボード等の入力装置や、モニタ等の出力装置との間で情報の送受信を行うための入出力インタフェースとから構成される。また、記憶部１３は、ＲＡＭや、ＨＤＤ、フラッシュメモリ等の記憶媒体から構成され、制御部１１の処理に必要となる情報が記憶される。
【００６２】
なお、この発信制御ＳＩＰサーバ１０をプログラム実行処理により実現する場合、記憶部１３には、発信制御ＳＩＰサーバ１０の制御部１１の機能を実現するためのプログラムが格納される。そして、制御部１１は、記憶部１３に記憶されたプログラムを、不図示のＣＰＵが、ＲＡＭ等に展開し実行することで実現される。
【００６３】
＜メディアサーバ＞
メディアサーバ５０は、図２のステップＳ１５に示すように、発信制御ＳＩＰサーバ１０が、登録者ＩＰ電話番号のＩＰ電話加入者端末５と接続した際に、接続先ＩＰ電話番号のＩＰ電話加入者端末５を呼出中である旨の音声ガイダンスを、登録者ＩＰ電話番号のＩＰ電話加入者端末５に送信する。
【００６４】
≪通信制御方法の処理の流れ≫
次に、本実施形態に係る通信制御システム１００における、通信制御方法の処理の流れを説明する（適宜図１〜７参照）。
図８は、本実施形態に係る通信制御方法の処理の流れを示すシーケンス図である。
ここで、大規模災害等の発生前における通常時において、次のステップＳ２１〜Ｓ２３の処理を行っておく。
【００６５】
まず、各ＩＰ電話加入者端末５は、回線設定時に、加入者サーバ２０に対して、Ｒｅｇｉｓｔｅｒ信号を送信する（ステップＳ２１）。なお、図８においては、ＩＰ電話加入者端末５のうち、ＩＰ電話加入者端末（「Ａ」）５Ａが、Ｒｅｇｉｓｔｅｒ信号を送信する例を示している。
【００６６】
続いて、加入者サーバ２０は、ＩＰ電話加入者端末５からＲｅｇｉｓｔｅｒ信号を受信すると、加入者情報登録部２１１（図３参照）が、Ｒｅｇｉｓｔｅｒ信号に付された、そのＩＰ電話加入者端末５のＩＰ電話番号、ＩＰアドレス等の加入者情報２００を取得し、自身の記憶部２３に記憶する。そして、加入者サーバ２０の加入者情報送信部２１２は、記憶部２３に記憶した加入者情報２００を、加入者ＤＢサーバ３０に送信する（ステップＳ２２）。加入者ＤＢサーバ３０の加入者情報収集部３１１（図４参照）は、各加入者サーバ２０から取得した加入者情報２００を、加入者情報ＤＢ３００に記憶する。
【００６７】
また、インターネット端末６０は、加入者（ここでは、加入者「Ａ」とする）の入力情報に基づき、登録サーバ４０に登録しようとする加入者（登録者）のＩＰ電話番号（登録者ＩＰ電話番号）と、その登録者が災害発生時に連絡を取りたい接続先のＩＰ電話番号（接続先ＩＰ電話番号）とを、インターネット７０（図１参照）を介して、登録サーバ４０に送信する（ステップＳ２３）。そして、登録サーバ４０の番号登録部４１１（図５参照）は、受信した登録者ＩＰ電話番号および接続先ＩＰ電話番号を記憶部４３の発信登録情報４００（図６参照）に記憶する。
【００６８】
次に、大規模災害等が発生した後（災害発生時）における処理について説明する。
まず、通信制御システム１００の管理者等により、発信制御ＳＩＰサーバ１０の機能が開始される（ステップＳ２４）。
【００６９】
そして、インターネット端末６０は、登録者（例えば、加入者「Ａ」）の操作により、発信受付状態を“ＯＮ”にする発信要求を送信する（ステップＳ２５）。登録サーバ４０の発信受付部４１２（図５参照）は、インターネット端末６０からの発信要求に基づき、発信登録情報４００（図６参照）の該当するレコードの発信受付状態４０３を「ＯＮ」にする。
【００７０】
続いて、発信制御ＳＩＰサーバ１０の登録情報取得部１１１（図７参照）は、登録サーバ４０に対して、登録情報（「登録者ＩＰ電話番号」および「接続先ＩＰ電話番号」の組）の取得要求を送信する（ステップＳ２６）。
【００７１】
登録サーバ４０の登録情報通知部４１３（図５参照）は、発信登録情報４００を参照し、発信受付状態４０３が「ＯＮ」の登録情報（「登録者ＩＰ電話番号」および「接続先ＩＰ電話番号」の組）を抽出し、発信制御ＳＩＰサーバ１０に通知する（ステップＳ２７）。
【００７２】
次に、発信制御ＳＩＰサーバ１０の加入者情報取得部１１２（図７参照）は、加入者ＤＢサーバ３０に対して、登録者ＩＰ電話番号と接続先ＩＰ電話番号とを付した加入者情報２００の取得要求を送信する（ステップＳ２８）。
【００７３】
そして、加入者ＤＢサーバ３０の加入者情報通知部３１２（図４参照）は、登録者ＩＰ電話番号、接続先ＩＰ電話番号をキーとして、加入者情報ＤＢ３００を検索し、それぞれに対応した加入者情報（ＩＰアドレス等）２００を抽出する。そして、加入者情報通知部３１２は、その抽出した加入者情報（ＩＰアドレス等）２００を、発信制御ＳＩＰサーバ１０に通知する（ステップＳ２９）。
【００７４】
次に、発信制御ＳＩＰサーバ１０の発信制御部１１３（図７参照）は、登録者の加入者情報（ＩＰアドレス等）２００を用いて、登録者のＩＰ電話加入者端末（「Ａ」）５Ａに、接続要求信号（ＩＮＶＩＴＥ）を送信する（ステップＳ３０）。
【００７５】
接続要求信号（ＩＮＶＩＴＥ）を受信したＩＰ電話加入者端末（「Ａ」）５Ａは、受信の成功を示す２００（ＳＤＰ_加入者Ａ）信号を、発信制御ＳＩＰサーバ１０に送信する（ステップＳ３１）。この２００信号には、メディアサーバ５０からの音声ガイダンスおよび接続先となるＩＰ電話加入者端末（「Ｂ」）５Ｂからの音声を受信するために、ＩＰ電話加入者端末（「Ａ」）５ＡのＩＰアドレス、ポート番号等が付されて送信される。
【００７６】
続いて、発信制御ＳＩＰサーバ１０の発信制御部１１３は、メディアサーバ５０に対して、ＩＰ電話加入者端末（「Ａ」）５Ａの情報を付した接続要求信号（ＩＮＶＩＴＥ（ＳＤＰ_加入者Ａ））を送信する（ステップＳ３２）。そして、メディアサーバ５０は、受信の成功を示す２００（ＳＤＰ_ＭＳ）信号を、発信制御ＳＩＰサーバ１０に送信する（ステップＳ３３）。続いて、発信制御ＳＩＰサーバ１０の発信制御部１１３が、メディアサーバ５０の対し、ＡＣＫ信号を送信し（ステップＳ３４）、ＩＰ電話加入者端末（「Ａ」）５Ａに対し、ＡＣＫ（ＳＤＰ_ＭＳ）信号を送信することにより（ステップＳ３５）、メディアサーバ５０からＩＰ電話加入者端末（「Ａ」）５Ａに対し、接続先のＩＰ電話加入者端末（「Ｂ」）５Ｂを呼出中である旨のガイダンスが流れる（ステップＳ３６）。
【００７７】
次に、発信制御ＳＩＰサーバ１０の発信制御部１１３は、登録者が登録した接続先のＩＰ電話加入者端末（「Ｂ」）５Ｂに、ＩＰ電話加入者端末（「Ａ」）５Ａの情報を付した接続要求信号（ＩＮＶＩＴＥ（ＳＤＰ_加入者Ａ）を送信する（ステップＳ３７）。
【００７８】
接続要求信号（ＩＮＶＩＴＥ）を受信したＩＰ電話加入者端末（「Ｂ」）５Ｂは、受信の成功を示す２００（ＳＤＰ_加入者Ｂ）信号を、発信制御ＳＩＰサーバ１０に送信する（ステップＳ３８）。この２００信号には、ＩＰ電話加入者端末（「Ａ」）５Ａからの音声を受信するために、ＩＰ電話加入者端末（「Ｂ」）５ＢのＩＰアドレス、ポート番号等が付されて送信される。
【００７９】
続いて、発信制御ＳＩＰサーバ１０の発信制御部１１３は、ＩＰアドレスをＩＰ電話加入者端末（「Ｂ」）５Ｂに変更するように要求する接続要求信号（ｒｅ−ＩＮＶＩＴＥ（ＳＤＰ_加入者Ｂ））を、ＩＰ電話加入者端末（「Ａ」）５Ａに送信し（ステップＳ３９）、ＩＰ電話加入者端末（「Ａ」）５Ａから２００（ＳＤＰ_加入者Ａ）信号を受信する（ステップＳ４０）。
【００８０】
そして、発信制御ＳＩＰサーバ１０の発信制御部１１３は、メディアサーバ５０に対し、ＢＹＥ信号を送信し（ステップＳ４１）、ＩＰ電話加入者端末（「Ａ」）５Ａに対し、ＡＣＫ信号を送信する（ステップＳ４２）。続いて、発信制御ＳＩＰサーバ１０は、メディアサーバ５０から２００信号を受信し（ステップＳ４３）、発信制御部１１３が、ＩＰ電話加入者端末（「Ｂ」）５Ｂに対し、ＡＣＫ信号を送信することにより（ステップＳ４４）、ＩＰ電話加入者端末（「Ａ」）５ＡとＩＰ電話加入者端末（「Ｂ」）５Ｂとの間で通話が可能となる（ステップＳ４５）。
【００８１】
以上説明したように、本実施形態に係る通信制御システム１００、通信制御方法および発信制御ＳＩＰサーバ１０によれば、災害発生時に、輻輳規制される加入者サーバ２０や中継サーバ３を経由することなく、発信制御ＳＩＰサーバ１０からの接続要求に基づき、ＩＰ電話加入者端末５同士の通話が可能となる。よって、災害発生時に、確実に接続先との通話が可能となり、安否確認や帰宅手段等の連絡を行うことができる。また、ＩＰ電話網１側から呼び出す（接続要求を送信）ための登録を、災害発生前に行っておくことにより、ＩＰ電話加入者端末５からの大量発信の抑制も期待できる。
【００８２】
なお、本実施形態においては、ＩＰ電話の加入者による登録サーバ４０への登録者ＩＰ電話番号および接続先ＩＰ電話番号の登録を、大規模災害等の発生前の通常時に行うものとして説明したが、災害発生以降においても、ＩＰ電話の加入者による登録を行えるように設定することも可能である。
【符号の説明】
【００８３】
１      ＩＰ電話
２，２０  加入者サーバ（ＳＩＰサーバ）
３      中継サーバ（ＳＩＰサーバ）
４      宅内装置（ＨＧＷ）
５      ＩＰ電話加入者端末
１０    発信制御ＳＩＰサーバ
１１，２１，３１，４１  制御部
１２，２２，３２，４２  入出力部
１３，２３，３３，４３  記憶部
３０    加入者ＤＢサーバ
４０    登録サーバ
５０    メディアサーバ
６０    インターネット端末（外部装置）
７０    インターネット
１００  通信制御システム
１１１  登録情報取得部
１１２  加入者情報取得部
１１３  発信制御部
２００  加入者情報
２１１  加入者情報登録部
２１２  加入者情報送信部
２１３  呼接続処理部
３００  加入者情報ＤＢ
３１１  加入者情報収集部
３１２  加入者情報通知部
４００  発信登録情報
４１１  番号登録部
４１２  発信受付部
４１３  登録情報通知部
【図１】
2013135245.tif 000003
【図２】
2013135245.tif 000004
【図３】
2013135245.tif 000005
【図４】
2013135245.tif 000006
【図５】
2013135245.tif 000007
【図６】
2013135245.tif 000008
【図７】
2013135245.tif 000009
【図８】
2013135245.tif 000010
【図９】
2013135245.tif 000011